(57)【要約】      （修正有）【課題】ゴム系素材でいかなる太いグリップ形状でもシャフトを容易に挿入できるパターグリップを提供する。【解決手段】グリップ１にシャフトを挿入する穴７と平行に、溝もしくは膜１０を隔てた別の細い長穴９を設ける事で、シャフトの太い周辺部（バット）が挿入されても溝もしくは膜１０が伸び、グリップ１の穴７の径は実質拡大してシャフト挿入抵抗を低減する。即ち、溝形状や膜厚をコントロールすることで、シャフトの挿入抵抗を最適化できる。【選択図】図３
0003198128.tif 000002
【実用新案登録請求の範囲】
【請求項１】
パターグリップの外形が全体的に太い形状や、部分的に太くした例えばピストルリップの様に終端に向けて太くした形状のグリップ肉厚内に、シャフト挿入の穴径と膜を隔てて細長い空洞を平行に設けた事を特徴とするパターグリップ。
【請求項２】
グリップにシャフトを挿入する穴径と細い空洞の間に設けた膜厚は０〜６ｍｍの範囲にした事を特徴とする、請求項１記載のパターグリップ。
【請求項３】
グリップにシャフトを挿入する穴径と平行に設けた細い空洞は、グリップ外形が最大になる終端部から開き、グリップの中間領域内で閉じる事を特徴とした、請求項２記載のパターグリップ。
【請求項４】
グリップにシャフトを挿入する穴径と平行に設けた空洞は、幅が狭いスリット状の溝でシャフト挿入穴と一体となし、グリップ初頭部にシャフト穴付キャップを設けたことを特徴とする、請求項２記載のパターグリップ。
【考案の詳細な説明】
【技術分野】
【０００１】        本考案はゴルフ用品のパターグリップに関するもので、ゴム系素材でいかなる太いグリップ形状でもシャフトを容易に挿入できる手段を提供するものである。
【背景技術】
【０００２】        近年のパターグリップはカラフルにデザインされた物が多く世の中に提供されている。その多くは実願２００２−３４、特願２００３−３２５６０６、特願２００７−５０２１２７  等で公開されている様に、シャフトに装着するグリップのコアとなる比較的硬いスリーブと、そのスリーブ表面を全面に亘って１枚のシートで巻き付ける方法が採られている。このシートは強度確保と衝撃吸収、手の吸着感を出す為に多層構造にする事が多い。
他方、実願２００７−６０００１７の様にグリップ自体を柔らかいエラストマー樹脂で成形し、特長ある形を追求すると共に素材が持つ衝撃吸収や手の吸着感、多様な色で作ったグリップが提供されている。
【考案の開示】
【考案が解決しようとする課題】
【０００３】        図１は一般のパターグリップとシャフトの組立図を表わしている。グリップ１へシャフト２を挿入する前に、両面接着テープ３をシャフト２の縦方向に貼り、両面テープの接着層を溶かす溶剤をかけてからグリップ１に入れている。グリップ１の終端にある穴４はグリップ１内の溶剤と空気を出すドレインである。
パターシャフト２は図２に示すように、ヘッド挿入側のチップ５外径Ａと比べてグリップ挿入側のバット６外径Ｂが大きくなっている。グリップを装填する際にシャフト径の太いバット６側から入れる為、グリップ外形が太くなる程シャフト穴内の周辺部は伸びにくくなり、結果的に内圧が高まって挿入抵抗は大きくなる課題があった。
【課題を解決するための手段】
【０００４】        本考案はグリップの内部に、特にグリップ外形が太くなる領域にシャフト挿入穴と平行に膜を隔てた空洞を設ける。
この空洞は丸い長穴でも良く、グリップ外径が最大となる終端面に開口部があって、グリップ中ほどの外皮から数ミリを残す範囲まで長穴を設けている。
この開口部はシャフト挿入後に専用の栓で塞ぐか、もしくはグリップ終端全体を覆う専用カバーで塞いでも良い。
【考案の効果】
【０００５】        本考案はパターシャフトに太いグリップを組みつける時、シャフト挿入の穴径と平行に膜を隔てて細い長穴があることで、シャフト挿入と共に前述の膜が伸びて穴径が実質的に拡大するため、挿入抵抗を低く抑える事ができる。
この方法であればグリップ本体の素材が比較的硬くともシャフト挿入の抵抗は前述の膜厚で制御できる為、グリップ素材のバリエーションが増えるだけでは無く、グリップ全重量の軽量化にも貢献する。
また長穴を設けるグリップ成型の金型は、グリップ最終端の蓋に相当する部分であるため、いかなるグリップデザインでも適用できるメリットがある。
【考案を実施するための最良の形態】
【０００６】        図３は本考案を示すもので、グリップ後半部から終端に向けて太くなるピストルグリップ形状について説明する。
シャフト２を挿入する長穴７に沿って、グリップ終端部８から逆方向に細い長穴９が、グリップ本体１の中ほどまで、外皮から数ｍｍを残す所まで成型されている。  この間の太い長穴７と細い長穴９の間の膜厚１０は概ね２ｍｍ程度である。
グリップ終端部の開口部を塞ぎたい場合は専用の栓１１を使うか、終端面全体を覆うカバーを接着しても良い。
図４は本考案の応用例を示すもので、全体的に太いながらも後部に向けてテーパ状に更に太くなる場合で、シャフト２の挿入初期段階から抵抗が強いため、シャフト挿入穴７にスリット状の溝１２を設け、実質内径が拡大出来る構造にした。
【実施例１】
【０００７】        比較的太いピストルグリップ形状の図３について詳述する。シャフト挿７と平行にグリップ終端部８から開いた細い長穴９が設けられている。本実施例入穴では細い長穴９は円形にして、入口直径は約４ｍｍ程度ながら先端はテーパ状に絞っている。テーパは成型時の溶けたゴム系素材の流れを良くする為である。
シャフト２をグリップ本体１に挿入する過程で、シャフト２のバット６側先端がグリップ肉厚の、しかも細い長穴９の無い図中Ｓ付近は挿入抵抗が最大となるが、それを過ぎると細い長穴の効果で抵抗が拡大すること無く、最終端８近くまでシャフト２は挿入される。
即ちグリップ本体１はエリアＳでシャフト２をしっかりと押さえ込み、抜け防止に貢献している。
【実施例２】
【０００８】        全体的に太いグリップ形状の図４について詳述する。  グリップ終端８に向けてテーパ状に太くしたデザインでは、シャフト２の挿入初期段階から抵抗が高くなってしまうため、初めからシャフト挿入穴に細いスリット１２を設けるものである。
ただしデザイン的に外部からスリット１２が見えないように、又防水効果を持たせるために、シャフト径の穴１３のみを持った薄いキャップ１４をグリップ本体１に接着した。
【図面の簡単な説明】
【０００９】
【図１】グリップにシャフトを組立る方法を説明するグリップ断面図
【図２】チップ側が細く、バット側が太い一般的なシャフト形状を示す断面図
【図３】本考案の代表的なパターグリップを示す組立断面図。ピストルグリップ形状でシャフト挿入穴７と平行の細い穴９がグリップ終端部８からグリップ途中までのびている。
【図４】本考案の応用例を示す組立断面図  グリップ全体が太く、且つ後部に向けてテーパ状に更に太くなる場合はシャフト穴７にスリット状の溝１２を設ける。ただし防水の為にシャフト穴７と同等の穴径でしかもスリット１２を持たないキャップ１４をグリップに接着している。
【符号の説明】
【００１０】１．  パター用グリップ
２．  金属製のシャフト
３．  グリップとシャフトを固定する両面接着テープ
４．  両面テープの接着剤を溶かす溶剤と空気を排出するドレイン
５．  シャフト先端の細い部分  チップ
６．  シャフト後端の太い部分  バット
７．  シャフトを挿入する穴
８．  グリップ終端部
９．  シャフト挿入抵抗を軽減する本考案の細い長穴
１０．シャフト挿入穴と細い長穴間の膜
１１．本考案の細い長穴を塞ぐ栓
１２．シャフト挿入穴に設けたスリット状の溝
１３．キャップに設けたシャフト穴。スリット状の溝は無い
１４．太いグリップの先頭部に接着するキャップ
【図１】
0003198128.tif 000003
【図２】
0003198128.tif 000004
【図３】
0003198128.tif 000005
【図４】
0003198128.tif 000006